(57)【要約】【課題】回転ファン面に発光図形を表示する放熱ファンの回転ブレの解消。【解決手段】  放熱ファンなどの回転ファンに発光体を配列し、回転に合わせて点滅させて残像効果によって図柄や文字などを発光表示するファン１１において、発光体を配置するフィン１１２の一部を切り欠きを設け、発光部品１３を配列した、切欠箇所に相当する形状、重量のサーキットボード１２１を取り付けて結合する。該サーキットボードは、フィン１１２と一体となってファンとして機能し、回転軸廻りの重量配分が均衡するため、ファンの回転に伴なうブレが解消する。【選択図】  図６
0003130585.tif 000002
【実用新案登録請求の範囲】
【請求項１】
放熱ファンなどの回転ファンに発光体を配列し、回転に合わせて点滅させて残像効果によって図柄や文字などを発光表示するファンにおいて、
該ファンは、頂部と側部からなる本体中心に中心軸を設ける共に該側部外周には複数のフィンを配置し、
発光体を配置するフィンの側縁の一部に切欠きを設けると共に該切欠箇所に対応する側部に、該切欠部に相当する形状、重量の第２サーキットボードを挿通する孔を形成し、
該発光部品の発光を制御する手段を搭載した第3サーキットボードを発光部品を配列した該第2サーキットボードに連結して形成し、
該側部の孔から第２サーキットボードを挿通して該フィンと一体に構成すると共に第3サーキットボードを該中心軸に結合した、
ことを特徴とする発光図形表示の放熱ファンの改良構造。
【請求項２】
前記第三サーキットボードの上記中心軸に対応する位置に第二穴を設けるとともに該第二孔に連通する第一穴を形成し、且つ第一穴は第二穴より大きく形成したことを特徴とする請求項1記載の発光図形表示の放熱ファンの改良構造。
【請求項３】
前記頂部の該第三サーキットボードと対応する一面に、該第三サーキットボードと係合する少なくとも一つの固定部品を具有することを特徴とする請求項1記載の発光図形表示の放熱ファンの改良構造。
【請求項４】
前記のフィンの切欠部は、フィン形状の一部の欠落とすることを特徴とする請求項1記載の発光図形表示の放熱ファンの改良構造。
【請求項５】
前記第二サーキットボードは、該フィンの切欠箇所と接すると共にその外周縁はフィンとしてのカーブを形成することを特徴とする請求項1記載の発光図形表示の放熱ファンの改良構造。
【請求項６】
前記カーブは、該第二サーキットボードがフィンと接する側と反対側に形成することを特徴とする請求項5記載の発光図形表示の放熱ファンの改良構造。
【請求項７】
前記第二サーキットボードの外側に延伸する側はフリーエンドであることを特徴とする請求項5記載の発光図形表示の放熱ファンの改良構造。
【請求項８】
前記第二サーキットボードの外側に延伸する片端は、該フィンと連結することを特徴とする請求項4記載の発光図形表示の放熱ファンの改良構造。
【請求項９】
前記ファンの頂部と中心軸の連結する場所に凸部を形成し、該凸部の半分を削り、該中心軸は凸部に覆われ、局部が露出することを特徴とする請求項1記載の発光図形表示の放熱ファンの改良構造。
【考案の詳細な説明】
【技術分野】
【０００１】
本考案は、発光図形を表示する放熱ファンの改良構造に関する。特にフィンに対応した箇所に発光部品のサーキットボードを具有するファンの改良構造である。
【背景技術】
【０００２】
従来技術の発光図形を表示する放熱ファンは、複数の発光部品を具有する軟質なサーキットボードをフィンに設置すると同時に、タイミングを使ってサーキットボードをコントロールし、各発光部品の発光をコントロールする。フィンの回転に合わせて点滅することにより、人間の視覚の残留効果によって図案或いは文字が見えるようにする。
【０００３】
公知の実用新案第M282480とM282481及びM286561号の『発光図形表示の放熱ファン構造』では、座体に底部を具有し、該底部の中心に中空の柱があり、該柱に第一と第二の電極を配置し、該柱の内部に第一、第二電極と連結する第一、第二ベアリングを配置する。前記柱にコイル台を配置し、該コイル台にサーキットボードを具有し、該サーキットボードは前記の第一、第二電極の片端と連結し、第一、第二電極を通じ、第一、第二ベアリングに電力を送る。フィーンにシェルを具有し、該シェルの中心位置に中心軸を設け、該中心軸は内外軸を含み、該内外軸の間に絶縁層を配置する。前記の外軸は第一ベアリング、内軸は第二ベアリングと接続する。コントロールユニットは前記のフィンに配置し、且つコントロールユニットに第一、第二サーキットボードを連結し、該第二サーキッドボードは、第一サーキットボードによってコントロールされている複数の発光部品を具有する。
【０００４】
発光部品の軟質のサーキットボードは、一枚のフィンに設置するため、ファン全体の重さの分布が不均等となり、回転する際にぶれが激しくなるだけでなく、ファンを支える中心軸とベアリングに激しい偏摩擦が起きるため、使用する内に中心軸とベアリングの間に隙間が偏磨耗によって次第に大きくなり、ファンが損傷し、発光部品を設置したファンの使用寿命も短くなるため、改善する必要があった。
【特許文献１】特開2005−189806号公報
【考案の開示】
【考案が解決しようとする課題】
【０００５】
前記公知構造の欠点を解決するため、本考案の第一の目的は、ファン本体の根元に少なくとも一つの穴を開け、該穴に対応する少なくとも一枚のフィンのサイドの縁を欠けさせ、少なくとも第二サーキットボードを該穴より本体の外部に出し、且つ該フィンの欠けた場所と結合することで、該縁の欠けたフィンが他の完全なるフィンとサイズが同じになり、フィンの重さを均等にする発光図形表示の放熱ファンの改良構造を提供することにある。
【０００６】
本考案の第2の目的は、該第二サーキットボードの先端にカーブを形成することで、乱流が生じるのを改善する、発光図形表示の放熱ファンの改良構造を提供することにある。
【課題を解決するための手段】
【０００７】
前記の目的を解決するために、本考案は発光図形を表示する放熱ファンの改良構造を提供するものであり、ファンとコントロールユニットからなり、該ファンは少なくとも本体と本体の外部周囲に設ける複数のフィンを具有し、該本体と複数のフィンと連結する場所に少なくとも一つの穴を開け、該穴と対応する少なくとも一枚のフィンの片側縁の一部分に切欠部を形成する。該コントロールユニットは、第二サーキットボードを具有し、少なくとも第三サーキットボードを連結し、且つ、該第二サーキットボードに、少なくとも一つの発光部品を設け、第三サーキットボードがそれをコントロールする。該第三サーキットボードを前記の本体の内側に設置して、該第二サーキットボードを該穴を通して本体の外に出し、前記のフィンの欠けた場所で結合することで、他の完全なるフィンと同じサイズの構造を形成し、各フィンの重量を均等化する。
【考案の効果】
【０００８】
本考案は、サーキットボードを具有するコントロールユニット及びファンの本体の側部に開けた穴によって、サーキットボードを前記穴を通って本体の外に出し、少なくとも一枚の縁の欠けたフィンの欠けた場所で結合することで、他の完全なるフィンと同じサイズの構造を形成し、各フィンの重量を均等化にするため、中心軸とベアリングの摩擦が起こらず、ファンの使用寿命も延びる。
【考案を実施するための最良の形態】
【０００９】
本考案による発光図形表示用放熱ファンの改良構造を明確に示すために、図に沿って詳細な説明を行う。図1、2、3、4に示すのは、ファン11及びコントロールユニット12であり、該ファン11は、本体111及び複数のフィン112を具有し、該本体111は頂部1111及びそれに連なる側部1112を有する。該複数のフィン112は、該側部1112に設け、且つ該側部1112に対応する少なくとも一枚のフィン112に少なくとも一つの穴1113を設ける。図3、4に示すとおり、該穴1113の対応するフィン112の片側は、他の完全なるフィンと比べ、側縁が欠けている1121。(図では側縁の欠けた1121フィン112と完全なるフィン112と対比して、1121フィンの側縁の欠けた部分1211を点線で示している。)
【００１０】
図1、5、6に示すのは、該コントロールユニット12は、第二サーキットボード121及び少なくとも一つの第三サーキットボード122を具有し、該第二サーキットボード121は該第三サーキットボード122と電極で連結し、且つ該第二サーキットボード121は外向きに延伸する。少なくとも一つの発光部品13を該第二サーキットボード121上に配列し、且つ第三サーキットボード122でその発光点滅をコントロールする。該第三サーキットボード122を前記の本体111の中に設置し、該第二サーキットボード121は該穴1113を通して本体111の外に延長し、且つ該フィン112の縁の欠けた部分1121と連結することで、他の完全なるフィンと同じサイズを構成する。
【００１１】
図1、6、7に示すのは、前記ファン11の頂部1111に中心軸113を設け、頂部1111と中心軸113の連結する場所に凸部114を形成して該中心軸113を被覆し、且つ該凸部114の局部を削り取って、該中心軸113外周の凸部114に切欠部１１５を形成する。
【００１２】
図1、2、5に示すように、前記第三サーキットボード122中心に中心軸を挿通する第一の穴1221及び該第一穴に連通する第二の穴1222を形成し、且つ該第一の穴1221の直径は相対的に該第二の穴1222の直径より大きくする。よって、該第三サーキットボード122を本体111内に設置する時、先に第一の穴1221を中心軸113と嵌合し、第二、第三サーキットボード121、122はやや傾斜した形で本体111内に挿入する。該第二サーキットボード121を該穴1113に差し込み、該穴1113より本体111の外に出すと同時に、該第三サーキットボード122と第二サーキットボード121の角度を水平に変更する。すなわち、第三サーキットボード122の一面が該頂部1111と接触する時、該第二の穴1222は中心軸113と嵌合する。
【００１３】
前記頂部1111の該第三サーキットボード122に対応する一面に少なくとも一つの固定部品116を設け、(図面の説明では逆さまのフックの形で表示)、該固定部品116に対応する該第三サーキットボード122には、少なくとも一つの固定穴1223を設け、該第三サーキットボード122が該頂部1111と接触する際、該固定部品116は該固定穴1223を通り、固定部品のフックで確実に第三サーキットボード122をしっかりと本体に固定する。
【００１４】
前記第二サーキットボード121が外向きに延伸する片側はフリーエンドであり、その先端はカーブ1211を形成する。該カーブ1211は該第二サーキットボード121のフリーエンドのフィン112と接しない側に形成する。つまり第二サーキットボード121のフリーエンドは、フィン112の縁の欠けた部分と同じ形状を成し、第二サーキットボード121と該サイド縁欠けフィン112を合わさることで、他の完全なるフィンと同じサイズの構造となる(図5を参照)。縁の欠けたフィン112は、該第二サーキットボード121と結合することで、完全なフィンと重さが同じになるため、ファン111全体の軸周りの重量配分が均等化し、回転する際のブレの問題が解決し、中心軸113とベアリング(図に未掲載)との偏摩擦による損耗を生じない。該ファン11が駆動回転すると流体はフィン112にある第二サーキットボード121側から第二サーキットボード121の反対側へ流れ、該第二サーキットボード121のフリーエンド先端はカーブ1211を形成するため、流体に作用するとき乱流の発生を防止する。
【００１５】
前記第三サーキットボード122にあるコントロールサーキットは、公知の実用新案第M282480とM282481及びM86561号の表示手法を応用することができる。ファン11が回転すると、該第二サーキットボード122上に配列された発光部品13が該第三サーキットボード122によって点滅発光が制御され、ファンの回転面に所要の図柄や文字を表示する。
【００１６】
図8に示すのは、本考案の他の実施例である。フィン112Aの片側に他の完全なるフィンと比べ、サイドの先端に一部Wを残し、縁が欠けている1121A。欠けた部分1121Aに該第二サーキットボード121Aを結合する。また、前記第二サーキットボード121と第三サーキットボード122は一体成型により構成しても良い。
【００１７】
以上の二つの実施例による本考案の詳細な説明は、本考案の範囲を制限するものではない。本考案の構想に基づく各種の形や構造、装置の変化や応用など、同じ効果が生まれる場合は、全て本考案の権利範囲とする。
【図面の簡単な説明】
【００１８】
【図１】本考案の立体分解略図である。
【図２】本考案のファンの側面図である。
【図３】本考案のサイド縁欠けのフィンと普通のフィンとの側面比較略図である。
【図４】本考案のサイド縁欠けのフィンと普通のフィンとの俯瞰比較略図である。
【図５】本考案のコントロールユニットの略図である。
【図６】本考案のコントロールユニットに略図である。
【図７】本考案の組立断面略図である。
【図８】本考案のサイド縁欠けファンの別の実施例の略図である。
【符号の説明】
【００１９】
11ファン
111本体
1111トップ
1112サイド
1113開口
112、112A  縁欠け
113  中心軸
114凸部
115凸部の局部の欠け
116固定部品
12コントロールユニット
121、121A  第二サーキットボード
1211  カーブ
122第三サーキットボード
1221第一穴
1222第二穴
1223固定穴
13  発光部品
【図１】
0003130585.tif 000003
【図２】
0003130585.tif 000004
【図３】
0003130585.tif 000005
【図４】
0003130585.tif 000006
【図５】
0003130585.tif 000007
【図６】
0003130585.tif 000008
【図７】
0003130585.tif 000009
【図８】
0003130585.tif 000010